(57)【要約】【課題】待機状態における消費電力を抑制できる電源装置を提供する。【解決手段】入力電力が入力されて、負荷４に出力電力を供給する電源装置１０であって、出力電力を生成する主回路２０と、主回路２０の制御に用いる第一電圧を主回路２０に供給する第一制御電源３１であって、入力電力に対応する入力電圧を第一電圧に変換するためのスイッチング回路を有する第一制御電源３１と、電源装置１０の状態を、負荷４への出力電力の供給を行う稼働状態、及び、負荷４への出力電力の供給を行わない待機状態の一方に制御する制御装置４０と、制御装置４０に第二電圧を供給する第二制御電源３２とを備え、待機状態における第一電圧は、稼働状態における第一電圧より低い。【選択図】図１
2018133925.tif 000002
【特許請求の範囲】
【請求項１】
入力電力が入力されて、負荷に出力電力を供給する電源装置であって、
前記出力電力を生成する主回路と、
前記主回路の制御に用いる第一電圧を前記主回路に供給する第一制御電源であって、前記入力電力に対応する入力電圧を前記第一電圧に変換するためのスイッチング回路を有する第一制御電源と、
前記電源装置の状態を、前記負荷への前記出力電力の供給を行う稼働状態、及び、前記負荷への前記出力電力の供給を行わない待機状態の一方に制御する制御装置と、
前記制御装置に第二電圧を供給する第二制御電源とを備え、
前記待機状態における前記第一電圧は、前記稼働状態における前記第一電圧より低い
電源装置。
【請求項２】
前記第一制御電源は、前記第一電圧を前記第二制御電源に供給し、
前記第一電圧は、前記待機状態において前記第二電圧より高く、
前記第二制御電源は、前記第一電圧を前記第二電圧に変換する
請求項１に記載の電源装置。
【請求項３】
前記待機状態において、前記第一制御電源を動作させない
請求項１に記載の電源装置。
【請求項４】
前記第二制御電源は、スイッチング回路を含まない
請求項１〜３のいずれか１項に記載の電源装置。
【請求項５】
前記第二制御電源は、三端子レギュレータである
請求項４に記載の電源装置。
【請求項６】
請求項１〜５のいずれか１項に記載の電源装置と、
前記負荷とを備え、
前記負荷は、光源を有する
照明器具。
【発明の詳細な説明】
【技術分野】
【０００１】
本発明は、負荷に電圧を供給する電源装置及び照明器具に関する。
【背景技術】
【０００２】
従来、リモコンなどによって遠隔操作可能な電気機器が知られている（例えば、特許文献１参照）。特許文献１に開示された照明器具は、リモコンなどからの調光信号が入力される調光信号入力回路を備える。調光信号入力回路は、スイッチング回路に調光信号に対応する信号を出力し、スイッチング回路は、調光信号に対応するデューティ比でスイッチング素子を制御する。これにより、照明器具の調光度を遠隔操作できる。
【先行技術文献】
【特許文献】
【０００３】
【特許文献１】特開２０１３−７０６１７号公報
【発明の概要】
【発明が解決しようとする課題】
【０００４】
しかしながら、特許文献１に開示された照明器具では、照明器具を消灯している待機状態においても、調光信号入力回路が調光信号を受信する必要がある。そのため、特許文献１に開示された照明器具は、待機状態においても電力を消費する。具体的には、スイッチング回路を制御するための制御電圧、及び、調光信号入力回路に供給される入力電圧が、待機状態においても生成される。特に、調光信号入力回路に供給される入力電圧は、制御電圧を降圧回路で降圧して生成される。例えば、降圧回路として三端子レギュレータを用いる場合には、入力電圧を出力電圧との電圧差に対応する電力を熱として消費する。
【０００５】
そこで、本発明は、待機状態における消費電力を抑制できる電源装置及び照明器具を提供することを目的とする。
【課題を解決するための手段】
【０００６】
上記目的を達成するため、本発明の一態様に係る電源装置は、入力電力が入力されて、負荷に出力電力を供給する電源装置であって、前記出力電力を生成する主回路と、前記主回路の制御に用いる第一電圧を前記主回路に供給する第一制御電源であって、前記入力電力に対応する入力電圧を前記第一電圧に変換するためのスイッチング回路を有する第一制御電源と、前記電源装置の状態を、前記負荷への前記出力電力の供給を行う稼働状態、及び、前記負荷への前記出力電力の供給を行わない待機状態の一方に制御する制御装置と、前記制御装置に第二電圧を供給する第二制御電源とを備え、前記待機状態における前記第一電圧は、前記稼働状態における前記第一電圧より低い。
【０００７】
また、上記目的を達成するため、本発明の一態様に係る照明器具は、上記電源装置と、上記負荷とを備え、上記負荷は、光源を有する。
【発明の効果】
【０００８】
本発明によれば、待機状態における消費電力を抑制できる電源装置及び照明器具を提供できる。
【図面の簡単な説明】
【０００９】
【図１】図１は、実施の形態１に係る電源装置の機能構成を示す概略回路図である。
【図２】図２は、実施の形態１に係る第一制御電源の回路構成の一例を示す回路図である。
【図３】図３は、実施の形態１に係る電源装置の動作の流れを示すフローチャートである。
【図４】図４は、実施の形態２に係る電源装置の機能構成を示す概略回路図である。
【図５】図５は、実施の形態２に係る第一制御電源の回路構成の一例を示す回路図である。
【図６】図６は、実施の形態２に係る電源装置の動作の流れを示すフローチャートである。
【図７Ａ】図７Ａは、各実施の形態に係る電源装置を備える照明器具の一例の外観図である。
【図７Ｂ】図７Ｂは、各実施の形態に係る電源装置を備える照明器具の他の一例の外観図である。
【発明を実施するための形態】
【００１０】
以下では、本発明の実施の形態について、図面を用いて詳細に説明する。なお、以下に説明する実施の形態は、いずれも本発明の一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。また、各図において、同じ構成部材については同じ符号を付している。
【００１２】
（実施の形態１）
実施の形態１に係る電源装置について説明する。
【００１３】
［１−１．構成］
まず、本実施の形態に係る電源装置の構成について図面を用いて説明する。
【００１４】
図１は、本実施の形態に係る電源装置１０の機能構成を示す概略回路図である。なお、図１には、電源装置１０に電力を供給する交流電源２と、電源装置１０から電力を供給される負荷４とが併せて示されている。図２は、本実施の形態に係る第一制御電源３１の回路構成の一例を示す回路図である。
【００１５】
交流電源２は、電源装置１０に交流電力を供給する電源である。交流電源２は、例えば、商用交流電源などの系統電源である。
【００１６】
負荷４は、電源装置１０から電力を供給される装置である。負荷４は、電力を使用する装置であれば特に限定されないが、例えば、ＬＥＤ（Ｌｉｇｈｔ  Ｅｍｉｔｔｉｎｇ  Ｄｉｏｄｅ）などの固体発光素子を備える光源である。
【００１７】
電源装置１０は、入力電力が入力されて、負荷４に出力電力を供給する電力変換装置である。図１に示されるように、電源装置１０は、主回路２０と、制御電源回路３０と、制御装置４０とを備える。本実施の形態では、電源装置１０は、さらに、整流回路１２と、コンデンサ１３とを備える。
【００１８】
整流回路１２は、交流電源２からの交流電流を整流することで脈動電流に変換し、変換した脈動電流を出力する回路である。整流回路１２は、特に限定されないが、例えば、全波整流用のダイオードブリッジである。
【００１９】
コンデンサ１３は、整流回路１２から出力された脈動電流を平滑化する容量素子である。
【００２０】
スイッチ１４は、制御装置４０からの制御信号に基づいて、第一制御電源３１における第一電圧を出力する端子と主回路２０との導通及び非導通を切り換える素子である。
【００２１】
主回路２０は、負荷４に出力する出力電力を生成する回路である。本実施の形態では、コンデンサ１３によって、平滑化された直流電力が入力され、電圧値及び電流値の少なくとも一方を変換して出力する。主回路２０は、スイッチング素子２２を含む電圧変換回路と、スイッチング素子２２を駆動する駆動回路２６とを有する。主回路２０は、スイッチング素子２２を含む電圧変換回路として、例えば、昇圧チョッパ回路と、降圧チョッパ回路とを有する。これにより、降圧チョッパ回路を制御することで、主回路２０から出力される電流を調整することができる。
【００２２】
スイッチング素子２２は、外部から入力された信号に応じて導通及び非導通を切り換え可能な素子であり、例えば、ＭＯＳＦＥＴ（Ｍｅｔａｌ−Ｏｘｉｄｅ  Ｓｅｍｉｃｏｎｄｕｃｔｏｒ  Ｆｉｅｌｄ−Ｅｆｆｅｃｔ  Ｔｒａｎｓｉｓｔｏｒ）などのスイッチングトランジスタである。
【００２３】
駆動回路２６は、スイッチング素子２２を駆動する回路である。駆動回路２６は、例えば、ＭＯＳＦＥＴからなるスイッチング素子２２のゲート端子に信号を出力することで、スイッチング素子の導通及び非導通を切り換える。駆動回路２６には、制御電源回路３０から電力が供給され、当該電力を用いて動作する。
【００２４】
制御電源回路３０は、主回路２０の制御に用いる電力を供給する回路である。本実施の形態では、制御電源回路３０はコンデンサ１３の一方の電極に接続されたノードＮ１から直流電力を供給され、主回路２０及び制御装置４０のそれぞれに供給する第一電圧及び第二電圧を生成する。制御電源回路３０は、第一制御電源３１と、第二制御電源３２とを有する。
【００２５】
第一制御電源３１は、主回路２０の制御に用いる第一電圧を主回路２０に供給するスイッチング電源である。本実施の形態では、第一制御電源３１は、第一電圧を第二制御電源３２にも供給する。図２に示されるように、第一制御電源３１は、主回路２０に入力される入力電力に対応する入力電圧を第一電圧に変換するためのスイッチング回路を有する。より詳しくは、第一制御電源３１は、降圧チョッパ方式のＤＣ−ＤＣコンバータである。なお、本実施の形態では、第一制御電源３１は、図１に示されるノードＮ１から最大１４０Ｖ程度の入力電圧が供給される。
【００２６】
本実施の形態に係る第一制御電源３１は、電源装置１０が負荷４への出力電力の供給を行わない待機状態において、負荷４への出力電力の供給を行う稼働状態より、低い第一電圧を出力する。具体的には、稼働状態においては、第一制御電源３１は、主回路２０の駆動回路２６を動作させるために十分高い第一電圧を出力する。本実施の形態では、稼働状態において第一制御電源３１は、例えば、１６Ｖ程度の第一電圧を出力する。これにより、主回路２０を制御するための第一電圧が主回路２０に供給されるため、主回路２０が動作し、電力が負荷４に出力される。一方、待機状態においては、スイッチ１４が非導通とされることによって、主回路２０を制御するための第一電圧が供給されない状態となるため、主回路２０の動作が停止する。したがって、電源装置１０から負荷４に電力が出力されなくなる。待機状態においては、第一制御電源３１は、主回路２０の駆動回路２６を動作させる必要がないため、稼働状態における第一電圧より低い第一電圧を出力する。待機状態における第一電圧は、第一電圧が供給される第二制御電源３２において必要とされる範囲内の値に設定される。本実施の形態では、待機状態において第一制御電源３１は、５Ｖの第二電圧を出力する第二制御電源３２へ供給する電圧として十分に高い７Ｖ程度の第一電圧を出力する。これにより、第一制御電源３１が待機状態において稼働状態と同一の第一電圧を出力する場合より、第一制御電源３１における電力損失を抑制できる。しかも、第一制御電源３１では、簡素化された構成で上記効果を実現できる。
【００２７】
図２に示されるように、第一制御電源３１は、ＩＰＤ（インテリジェントパワーデバイス）６４と、チョークコイル６５と、ダイオード６６及び６７と、抵抗６０と、ツェナーダイオード６１及び６２と、切換スイッチ６３と、コンデンサ６８とを有する。ＩＰＤ６４は、スイッチング素子とそのコントローラとを１パッケージ化したモジュールである。ＩＰＤ６４は、ドレイン端子ＴＤと、ソース端子ＴＳと、コントロール端子ＴＣとを有する。チョークコイル６５は、ＩＰＤ６４でのスイッチングによって起電力を発生するインダクタである。ダイオード６６は、チョークコイル６５で発生した起電力に対応する電流を一定方向に流して回生させる。コンデンサ６８は、チョークコイル６５から出力される脈動電流を平滑化する容量素子である。
【００２８】
抵抗６０、ツェナーダイオード６１及び６２、切換スイッチ６３、並びに、ダイオード６７の直列接続は、第一制御電源３１の出力をＩＰＤ６４のコントロール端子ＴＣにフィードバックする回路である。切換スイッチ６３は、制御装置４０から入力される制御信号に基づいて、ダイオード６７と、ツェナーダイオード６１又は６２とを選択的に接続するスイッチである。ツェナーダイオード６１及び６２は、定電圧を得るための素子である。本実施の形態では、ツェナーダイオード６１及び６２の降伏電圧（ツェナー電圧）は、それぞれ１０Ｖ及び１Ｖである。これにより、切換スイッチ６３を切り換えることで、第一制御電源３１の出力電圧である第一電圧を切り換えることができる。例えば、切換スイッチ６３がダイオード６７を介して接続されるＩＰＤ６４のコントロール端子ＴＣの電圧が６Ｖとなるように、ＩＰＤ６４がフィードバック制御を行う場合について説明する。この場合、切換スイッチ６３がツェナーダイオード６１に接続されていれば、第一電圧は１６Ｖ（＝６Ｖ＋１０Ｖ）となり、切換スイッチ６３がツェナーダイオード６２に接続されていれば、第一電圧は７Ｖ（＝６Ｖ＋１Ｖ）となる。
【００２９】
第二制御電源３２は、制御装置４０に第二電圧を供給する電源である。本実施の形態では、第二制御電源３２は、第一制御電源３１から第一電圧が供給され、第一電圧を第二電圧に変換する回路を有する。このように、第二制御電源３２に１６Ｖ程度以下の第一電圧が供給されることにより、例えばノードＮ１における最大１４０Ｖ程度の電圧が第二制御電源３２に供給される場合より、第二制御電源３２における電力損失を抑制できる。
【００３０】
また、第一制御電源３１によって第二制御電源３２に供給される第一電圧は、第二電圧より高い。このため、第二制御電源３２として、三端子レギュレータなどの簡素な回路を用いて第一電圧を第二電圧に変換することができる。第一制御電源３１は、稼働状態及び待機状態のいずれの状態においても、第二電圧より高い第一電圧を第二制御電源３２に供給する。ここで、第二制御電源３２が第一電圧を第二電圧に変換できる程度に十分に高い第一電圧を第二制御電源３２に供給することにより、第二制御電源３２は、常に第二電圧を制御装置４０に供給し続けることができる。
【００３１】
第二制御電源３２の回路構成は特に限定されない。本実施の形態では、第二制御電源３２は、５Ｖの第二電圧を制御装置４０に供給する三端子レギュレータである。したがって、第二制御電源３２に供給される第一電圧と、第二制御電源３２から出力される第二電圧との差に対応する電力が、第二制御電源３２において失われる。本実施の形態では、上述のとおり、第一制御電源３１の待機状態における第一電圧は、稼働状態における第一電圧より低い。これにより、待機状態において稼働状態と同一の第一電圧を第二制御電源３２に供給する場合より、第二制御電源３２において第一電圧を第二電圧に変換する際に発生する電力損失を抑制できる。
【００３２】
制御装置４０は、電源装置１０の状態を、負荷４への出力電力の供給を行う稼働状態、及び、負荷４への出力電力の供給を行わない待機状態の一方に制御する装置である。本実施の形態では、制御装置４０は、電源装置１０を操作する操作信号に基づいて、第一制御電源３１及びスイッチ１４の各々に対応する制御信号を出力することで電源装置１０の状態を制御する。制御装置４０に入力される操作信号は、例えば、電源装置１０を制御するリモコンなどから送信される信号に対応する。制御装置４０は、電源装置１０の待機状態においても、操作信号を受信して電源装置１０を制御する必要があるため、第二制御電源３２から常に第二電圧が供給される必要がある。
【００３３】
なお、制御装置４０は、主回路２０の制御を行ってもよい。制御装置４０は、例えば、操作信号に基づいて、主回路２０の出力電流を調整してもよい。より具体的には、制御装置４０が、主回路２０が有する降圧チョッパにＰＷＭ（Ｐｕｌｓｅ  Ｗｉｄｔｈ  Ｍｏｄｕｌａｔｉｏｎ）信号を供給することにより、主回路２０の出力電流を調整してもよい。これにより、例えば負荷４がＬＥＤなどを有する光源である場合には、光源の調光を行うことができる。制御装置４０は、例えば、マイコン（ＭＣＵ；Ｍｉｃｒｏ−Ｃｏｎｔｒｏｌｌｅｒ  Ｕｎｉｔ）で実現される。マイコンは、プログラムが格納されたＲＯＭ、ＲＡＭ、プログラムを実行するプロセッサ（ＣＰＵ；Ｃｅｎｔｒａｌ  Ｐｒｏｃｅｓｓｉｎｇ  Ｕｎｉｔ）、タイマ、Ａ／Ｄ変換器やＤ／Ａ変換器を含む入出力回路などを有する１チップの半導体集積回路である。
【００３４】
［１−２．動作］
次に、本実施の形態に係る電源装置１０の動作について図面を用いて説明する。図３は、本実施の形態に係る電源装置１０の動作の流れを示すフローチャートである。
【００３５】
図３に示されるように、まず、電源装置１０の制御装置４０が、操作信号を受信する（Ｓ１１）。
【００３６】
操作信号を受信した制御装置４０は、受信した操作信号が待機状態を指示する信号であるか否かを判断する（Ｓ１２）。
【００３７】
ここで、制御装置４０は、操作信号が待機状態を指示する信号であると判断した場合（Ｓ１２でＹＥＳ）、待機状態に対応する制御信号を出力する（Ｓ１３）。より具体的には、制御装置４０は、スイッチ１４を非導通とする制御信号を、スイッチ１４に出力する。また、制御装置４０は、第一制御電源３１に、切換スイッチ６３をツェナーダイオード６２に接続させる制御信号を切換スイッチ６３に出力する。これらの各制御信号により、上述したとおり、主回路２０への第一電圧の供給が遮断され、第一制御電源３１から比較的低い７Ｖの第一電圧が出力される（Ｓ１４）。主回路２０への第一電圧の供給が遮断されることにより、主回路２０の動作が停止するため、電源装置１０が待機状態となる。
【００３８】
一方、制御装置４０は、操作信号が稼働状態を指示する信号であると判断した場合（Ｓ１２でＮＯ）、稼働状態に対応する制御信号を出力する（Ｓ１５）。より具体的には、制御装置４０は、スイッチ１４を導通させる制御信号を、スイッチ１４に出力する。また、制御装置４０は、第一制御電源３１に、切換スイッチ６３をツェナーダイオード６１に接続させる制御信号を切換スイッチ６３に出力する。これらの制御信号により、上述したとおり、第一制御電源３１から比較的高い１６Ｖの第一電圧が出力され、主回路２０に第一電圧が供給される（Ｓ１６）。これにより、主回路２０が動作するため、電源装置１０が稼働状態となる。
【００３９】
以上のように、本実施の形態に係る電源装置１０の第一制御電源３１の待機状態における第一電圧は、稼働状態における第一電圧より低い。これにより、待機状態において稼働状態と同一の第一電圧を第二制御電源３２に供給する場合より、第二制御電源３２において第一電圧を第二電圧に変換する際に発生する電力損失を抑制できる。しかも、本実施の形態に係る電源装置１０は、簡素化された構成で上記効果を実現できる。
【００４０】
なお、本実施の形態に係る電源装置１０は、スイッチ１４を備えるが、待機状態において第一制御電源３１から出力される第一電圧が十分低い場合には、スイッチ１４を備えなくてもよい。つまり、待機状態において第一電圧が十分低い場合には、第一電圧を駆動回路２６に供給しても、駆動回路２６が動作しないため、スイッチ１４によって第一電圧の供給を遮断しなくてもよい。
【００４１】
［１−３．まとめ］
以上のように、本実施の形態に係る電源装置１０は、入力電力が入力されて、負荷４に出力電力を供給する電源装置１０である。電源装置１０は、出力電力を生成する主回路２０と、主回路２０の制御に用いる第一電圧を主回路２０に供給する第一制御電源３１であって、入力電力に対応する入力電圧を第一電圧に変換するためのスイッチング回路を有する第一制御電源３１とを備える。電源装置１０は、さらに、電源装置１０の状態を、負荷４への出力電力の供給を行う稼働状態、及び、負荷４への出力電力の供給を行わない待機状態の一方に制御する制御装置４０と、制御装置４０に第二電圧を供給する第二制御電源３２とを備える。待機状態における第一電圧は、稼働状態における第一電圧より低い。
【００４２】
これにより、電源装置１０では、第一制御電源３１が待機状態において稼働状態と同一の第一電圧を出力する場合より、第一制御電源３１における電力損失を抑制できる。しかも、本実施の形態に係る電源装置１０は、簡素化された構成で上記効果を実現できる。
【００４３】
また、電源装置１０において、第一制御電源３１は、第一電圧を第二制御電源３２に供給し、第一電圧は、待機状態において第二電圧より高く、第二制御電源３２は、第一電圧を第二電圧に変換してもよい。
【００４４】
これにより、電源装置１０では、待機状態において稼働状態と同一の第一電圧を第二制御電源３２に供給する場合より、第二制御電源３２において第一電圧を第二電圧に変換する際に発生する電力損失を抑制できる。つまり、本実施の形態のように、第二制御電源３２に１６Ｖ程度以下の第一電圧が供給されることにより、例えばノードＮ１における最大１４０Ｖ程度の電圧が第二制御電源３２に供給される場合より、第二制御電源３２における電力損失を抑制できる。第一電圧は、待機状態において第二電圧より高いため、第二制御電源３２として、三端子レギュレータなどの簡易な素子を用いて第一電圧を第二電圧に変換することができる。
【００４５】
また、電源装置１０において、第二制御電源３２は、スイッチング回路を含まなくてもよい。例えば、第二制御電源３２は、三端子レギュレータであってもよい。
【００４６】
これにより、第二制御電源３２の回路構成を簡素化できる。
【００４７】
（実施の形態２）
実施の形態２に係る電源装置について説明する。本実施の形態に係る電源装置は、主に第二電源回路に第一電圧が供給されない点において実施の形態１に係る電源装置１０と相違する。以下、本実施の形態に係る電源装置について、実施の形態１に係る電源装置１０との相違点を中心に説明する。
【００４８】
［２−１．構成］
本実施の形態に係る電源装置の構成について図面を用いて説明する。
【００４９】
図４は、本実施の形態に係る電源装置１１０の機能構成を示す概略回路図である。図５は、本実施の形態に係る第一制御電源１３１の回路構成の一例を示す回路図である。
【００５０】
図４に示されるように、本実施の形態に係る電源装置１１０は、実施の形態１に係る電源装置１０と同様に、主回路２０と、制御電源回路１３０と、制御装置１４０と、整流回路１２と、コンデンサ１３とを備える。電源装置１１０は、制御電源回路１３０及び制御装置１４０の構成において、実施の形態１に係る電源装置１０と相違する。
【００５１】
本実施の形態に係る制御電源回路１３０は、実施の形態１に係る制御電源回路３０と同様に、第一制御電源１３１と、第二制御電源１３２とを有する。
【００５２】
第一制御電源１３１は、主回路２０の制御に用いる第一電圧を主回路２０に供給する電源である。図４に示されるように、第一制御電源１３１は、第一電圧を第二制御電源３２に供給しない。図５に示されるように、第一制御電源１３１は、主回路２０に入力される入力電力に対応する入力電圧を第一電圧に変換するためのスイッチング回路を有する。なお、ここでは、第一制御電源１３１がスイッチング回路を有する例を示すが、本実施の形態に係る第一制御電源１３１は、必ずしもスイッチング回路を有さなくてもよい。第一制御電源１３１は、図４に示されるノードＮ１から最大１４０Ｖ程度の入力電圧が供給される。
【００５３】
第一制御電源１３１は、電源装置１１０が負荷４への出力電力の供給を行う稼働状態においては、実施の形態１に係る第一制御電源３１と同様に、主回路２０の駆動回路２６を動作させるために十分高い１６Ｖ程度の第一電圧を出力する。これにより、主回路２０を制御するための第一電圧が主回路２０に供給されるため、主回路２０が動作し、電力が負荷４に出力される。一方、待機状態においては、第一制御電源１３１は、主回路２０の駆動回路２６を動作させる必要がなく、かつ、第二制御電源１３２に第一電圧を供給しないため、第一電圧を出力しない。つまり、待機状態において、第一制御電源１３１を動作させない。これにより、主回路２０を制御するための電圧が供給されない状態となるため、主回路２０の動作が停止する。したがって、電源装置１１０から負荷４に電力が出力されなくなる。
【００５４】
図５に示されるように、第一制御電源１３１は、ＩＰＤ６４と、チョークコイル６５と、ダイオード６６及び６７と、抵抗６０と、ツェナーダイオード６１と、コンデンサ６８と、スイッチ１６３とを有する。第一制御電源１３１においては、入力電圧を遮断するスイッチ１６３を有する点、及び、ツェナーダイオード６１が常に接続されている点において、実施の形態１に係る第一制御電源３１と相違する。
【００５５】
スイッチ１６３は、ノードＮ１から供給される入力電圧を遮断する素子である。スイッチ１６３を導通させることにより、第一制御電源１３１に入力電圧が供給され、第一電圧を出力できる。第一制御電源１３１では、ツェナーダイオード６１が常に接続されるため、主回路２０の駆動回路２６を動作させるために十分な１６Ｖ程度の第一電圧が出力される。一方、スイッチ１６３を非導通とすることにより、入力電圧が遮断され、第一電圧が出力されなくなる。スイッチ１６３は、制御装置１４０からの制御信号に基づいて導通状態又は非導通状態に制御される。
【００５６】
第二制御電源１３２は、実施の形態１に係る第二制御電源３２と同様に、制御装置１４０に第二電圧を供給する電源である。本実施の形態では、第二制御電源１３２には、第一電圧は供給されず、ノードＮ１から最大１４０Ｖ程度の電圧が供給される。このように、第二制御電源１３２は、供給された最大１４０Ｖ程度の高電圧を、５Ｖ程度の第二電圧に変換して、制御装置１４０に供給する。第二制御電源１３２には、電源装置１１０の状態に依存せず、常にノードＮ１から電圧が供給されるため、待機状態においても、制御装置１４０に第二電圧を供給できる。
【００５７】
第二制御電源１３２の回路構成は特に限定されない。第二制御電源１３２は、例えばスイッチング回路を有するスイッチング電源であってもよい。これにより、最大１４０Ｖ程度の高電圧を５Ｖ程度の第二電圧に変換する際に発生する電力損失を抑制できる。なお、第二制御電源１３２の回路構成はこれに限定されない。例えば、第二制御電源１３２は、三端子レギュレータなどであってもよい。
【００５８】
制御装置１４０は、電源装置１１０の状態を、負荷４への出力電力の供給を行う稼働状態、及び、負荷４への出力電力の供給を行わない待機状態の一方に制御する装置である。本実施の形態では、制御装置１４０は、電源装置１１０を操作する操作信号に基づいて、第一制御電源１３１に制御信号を出力することで電源装置１１０の状態を制御する。制御装置１４０は、実施の形態１に係る制御装置４０と同様に電源装置１１０の待機状態においても、操作信号を受信して電源装置１１０を制御する必要があるため、第二制御電源１３２から常に第二電圧が供給される必要がある。
【００５９】
［２−２．動作］
次に、本実施の形態に係る電源装置１１０の動作について図面を用いて説明する。図６は、本実施の形態に係る電源装置１１０の動作の流れを示すフローチャートである。
【００６０】
図６に示されるように、まず、電源装置１１０の制御装置１４０が、操作信号を受信する（Ｓ２１）。
【００６１】
操作信号を受信した制御装置１４０は、受信した操作信号が待機状態を指示する信号であるか否かを判断する（Ｓ２２）。
【００６２】
ここで、制御装置１４０は、操作信号が待機状態を指示する信号であると判断した場合（Ｓ２２でＹＥＳ）、待機状態に対応する制御信号を出力する（Ｓ２３）。より具体的には、制御装置１４０は、第一制御電源１３１のスイッチ１６３を非導通とする制御信号を、スイッチ１６３に出力する。この制御信号により、上述したとおり、第一制御電源１３１からの第一電圧の出力が停止される（Ｓ２４）。これにより、主回路２０の動作が停止するため、電源装置１１０が待機状態となる。
【００６３】
一方、制御装置１４０は、操作信号が稼働状態を指示する信号であると判断した場合（Ｓ２２でＮＯ）、稼働状態に対応する制御信号を出力する（Ｓ２５）。より具体的には、制御装置１４０は、スイッチ１６３を導通させる制御信号を、スイッチ１６３に出力する。この制御信号により、上述したとおり、第一制御電源１３１は、１６Ｖ程度の第一電圧を出力する（Ｓ２６）。これにより、主回路２０が動作するため、電源装置１１０が稼働状態となる。
【００６４】
以上のように、本実施の形態に係る電源装置１１０の第一制御電源１３１の待機状態における第一電圧は、稼働状態における第一電圧より低い。具体的には、待機状態において、第一制御電源１３１を動作させない。第一制御電源１３１の待機状態における第一電圧は、実質的にゼロであってもよい。これにより、待機状態において稼働状態と同一の第一電圧を第一制御電源１３１が出力する場合より、第一制御電源１３１における待機状態における電力損失を抑制できる。
【００６５】
［２−３．まとめ］
以上のように、本実施の形態に係る電源装置１１０において、待機状態において、第一制御電源１３１を動作させない。
【００６６】
これにより、待機状態において稼働状態と同一の第一電圧を第一制御電源１３１が出力する場合より、待機状態における第一制御電源１３１の消費電力を抑制できる。
【００６７】
（変形例など）
上記各実施の形態における電源装置１０及び１１０は、各種電気機器に適用できる。例えば、電源装置１０及び１１０は、各種照明器具に適用できる。
【００６８】
図７Ａ及び図７Ｂは、電源装置１０又は１１０を備える各種照明器具２００ａ及び２００ｂの外観図である。図７Ａに示される照明器具２００ａは、ダウンライトであり、図７Ｂに示される照明器具２００ｂは、スポットライトである。照明器具２００ａ及び２００ｂは、回路ボックス２０１及び灯体２０２を有し、照明器具２００ａは、さらに、配線２０３を有する。回路ボックス２０１は、上記各実施の形態に係る電源装置１０又は１１０を収納しているボックスである。灯体２０２は、負荷４の一例である光源を収納している。光源は、例えば、ＬＥＤなどの発光素子を有する。配線２０３は、回路ボックス２０１と灯体２０２に収納された光源とを電気的に接続している。
【００６９】
このような照明器具２００ａ及び２００ｂは、光源を有する負荷４と、上記各実施の形態に係る電源装置１０又は１１０とを備えるので、待機状態における消費電力を抑制できる。
【００７０】
以上、本発明に係る電源装置及び照明器具について、各実施の形態に基づいて説明したが、本発明は、これらの実施の形態に限定されるものではない。本発明の主旨を逸脱しない限り、当業者が思いつく各種変形を上記各実施の形態に施したものや、上記各実施の形態における一部の構成要素を組み合わせて構築される別の形態も、本発明の範囲内に含まれる。
【００７１】
例えば、上記各実施の形態では、電源装置１０には、交流電源２から交流電力が供給されたが、直流電源から直流電力が入力されてもよい。この場合、電源装置１０は、整流回路１２を備えなくてもよい。
【００７２】
また、上記各実施の形態では、制御装置４０及び１４０は、マイコンによってソフトウェア的に実現されたが、Ａ／Ｄ変換器、論理回路、ゲートアレイ、Ｄ／Ａ変換器等で構成される専用の電子回路によってハードウェア的に実現されてもよい。
【符号の説明】
【００７３】
４  負荷
１０、１１０  電源装置
２０  主回路
３１、１３１  第一制御電源
３２、１３２  第二制御電源
４０、１４０  制御装置
２００ａ、２００ｂ  照明器具
【図１】
2018133925.tif 000003
【図２】
2018133925.tif 000004
【図３】
2018133925.tif 000005
【図４】
2018133925.tif 000006
【図５】
2018133925.tif 000007
【図６】
2018133925.tif 000008
【図７Ａ】
2018133925.tif 000009
【図７Ｂ】
2018133925.tif 000010